(57)【特許請求の範囲】
【請求項１】
先端部が前面ガラスで閉塞されると共に、基端部に開口を有し、かつ、内部の空間が基端開口部のがわから先端がわに向けて奥広がり状となっているランプ笠が備えられ、該ランプ笠の前記基端開口部が、光源筒の先端部をランプ笠の基端部に接続することにより閉じられ、接続を解除することにより開かれるようになされている投光器を対象とした反射板の取付け方法であって、
該反射板は、元サイズが前記ランプ笠の基端開口部の開口サイズよりも大きく、縮小可能であり、縮小することによりランプ笠の基端開口部を通じてランプ笠の内部に挿入配置することができるようになされたものからなっていて、
該反射板を用い、光源筒とランプ笠との接続を解除してランプ笠の基端開口部を開いた後、縮小状態の反射板をランプ笠の基端開口部を通じて内部空間に挿入し、しかる後、該反射板を元サイズに戻してランプ笠内の所定の位置に配置することを特徴とする投光器への反射板の取付け方法。
【請求項２】
前記反射板は、反射板本体材と、形状保持材とを構成部品として備え、
反射板本体は、周方向において多角形であると共に基端がわから先端がわに向けて直線状に開いていく多角の角錐筒状をしていて、前記ランプ笠の基端開口部の開口サイズよりもサイズが大きく、面と面との境界部である屈折稜線部を軸として面と面を相対的に回動させることができるようになされており、回動させることによりサイズを縮小させることができるようになされており、縮小することによりランプ笠の基端開口部を通じてランプ笠の内部に挿入することができるようになされているものからなっており、
前記形状保持材は、元サイズ状態の前記反射板本体の基端部に係合状態に取り付けられるリング状板からなっていて、反射板本体の基端部に係合状態に取り付けられることにより、反射板本体における隣り合う面部間の各屈折角度を所定の特定角度に保持して反射板本体を縮小前の元サイズ、元形状に保持するようになされたものからなっており、
縮小状態の前記反射板本体をランプ笠の基端開口部を通じて内部空間に挿入し、そこで反射板本体を元サイズ、元形状に戻した後、該反射板本体の基端部に前記形状保持材を係合状態に取り付けることで、元サイズ、元形状に保持された反射板本体を形成する請求項１に記載の投光器への反射板の取付け方法。
【請求項３】
前記反射板が、前記形状保持材を挟んで前記反射板本体とは反対側の基端がわに備えられる基端がわ反射板本体を備え、
該基端がわ反射板本体の先端部に前記形状保持材が予め取り付けられたものを用い、
縮小状態の先端がわ反射板本体をランプ笠の基端開口部を通じて内部空間に挿入し、そこで該先端がわ反射板本体を元サイズ、元形状に戻した後、該先端がわ反射板本体の基端部に、前記基端がわ反射板本体付きの形状保持材を係合状態に取り付けて、元サイズ、元形状に保持された先端がわ反射板本体を形成する請求項２に記載の投光器への反射板の取付け方法。
【発明の詳細な説明】
【技術分野】
【０００１】
本発明は、投光器への反射板の取付け方法に関する。
【背景技術】
【０００２】
先端部が前面ガラスで閉塞されると共に、内部の空間が基端がわから先端がわに向けて奥広がり状となっているランプ笠を備える、製品として完成された投光器は、従来より提供されている。
【先行技術文献】
【特許文献】
【０００３】
【特許文献１】特開平１０−２０８５０３号公報
【発明の概要】
【発明が解決しようとする課題】
【０００４】
ところで、照度等の投光性能をコスト的に有利に高めることを目的として、上記のような、製品として完成された投光器のランプ笠内部に、新たに反射板を組み込むための技術的手段の開発を、本発明者らは進めている。
【０００５】
しかしながら、ランプ笠の先端開口部は、既に前面ガラスが取外し困難に取り付けられていて閉塞されていることから、ガラス板を取り外し、反射板を、ランプ笠の先端開口部を通じてランプ笠の内部に組み込むということは、非常に難しい。
【０００６】
また、ランプ交換等のため、ランプ笠の基端部は開口していて、該基端開口部は、光源筒の先端部をランプ笠の基端部に接続することにより閉じられ、接続を解除することにより開かれるようになされているが、基端開口部の開口サイズは、反射板のサイズより小さく、そのため、反射板を、ランプ笠の基端開口部を通じてランプ笠の内部に組み込むということもできない。
【０００７】
本発明は、上記のような問題点に鑑み、新たな反射板を投光器のランプ笠の内部に容易に組み込むことができて、照度等の投光性能をコスト的に有利に高めることができる、投光器への反射板の取付け方法を提供することを課題とする。
【課題を解決するための手段】
【０００８】
上記の課題は、先端部が前面ガラスで閉塞されると共に、基端部に開口を有し、かつ、内部の空間が基端開口部のがわから先端がわに向けて奥広がり状となっているランプ笠が備えられ、該ランプ笠の前記基端開口部が、光源筒の先端部をランプ笠の基端部に接続することにより閉じられ、接続を解除することにより開かれるようになされている投光器を対象とした反射板の取付け方法であって、
該反射板は、元サイズが前記ランプ笠の基端開口部の開口サイズよりも大きく、縮小可能であり、縮小することによりランプ笠の基端開口部を通じてランプ笠の内部に挿入配置することができるようになされたものからなっていて、
該反射板を用い、光源筒とランプ笠との接続を解除してランプ笠の基端開口部を開いた後、縮小状態の反射板をランプ笠の基端開口部を通じて内部空間に挿入し、しかる後、該反射板を元サイズに戻してランプ笠内の所定の位置に配置することを特徴とする投光器への反射板の取付け方法によって解決される（第１発明）。
【０００９】
この方法では、反射板は、元サイズがランプ笠の基端開口部の開口サイズよりも大きいが、縮小することが可能であり、縮小することによりランプ笠の基端開口部を通じてランプ笠の内部に挿入配置することができるようになされたものからなっていて、そのような反射板を用い、光源筒とランプ笠との接続を解除してランプ笠の基端開口部を開いた後、縮小状態の反射板をランプ笠の基端開口部を通じて内部空間に挿入し、しかる後、該反射板を元サイズに戻してランプ笠内の所定の位置に配置するものであるから、新たな反射板を、前面ガラスを取り外すことなく、投光器のランプ笠の内部に容易に組み込むことができて、照度等の投光性能をコスト的に有利に高めることができる。
【００１０】
第１発明において、前記反射板は、反射板本体材と、形状保持材とを構成部品として備え、
反射板本体は、周方向において多角形であると共に基端がわから先端がわに向けて直線状に開いていく多角の角錐筒状をしていて、前記ランプ笠の基端開口部の開口サイズよりもサイズが大きく、面と面との境界部である屈折稜線部を軸として面と面を相対的に回動させることができるようになされており、回動させることによりサイズを縮小させることができるようになされており、縮小することによりランプ笠の基端開口部を通じてランプ笠の内部に挿入することができるようになされているものからなっていて、
前記形状保持材は、元サイズ状態の前記反射板本体の基端部に係合状態に取り付けられるリング状板からなっていて、反射板本体の基端部に係合状態に取り付けられることにより、反射板本体における隣り合う面部間の各屈折角度を所定の特定角度に保持して反射板本体を縮小前の元サイズ、元形状に保持するようになされたものからなっており、
縮小状態の前記反射板本体をランプ笠の基端開口部を通じて内部空間に挿入し、そこで反射板本体を元サイズ、元形状に戻した後、該反射板本体の基端部に前記形状保持材を係合状態に取り付けることで、元サイズ、元形状に保持された反射板本体を形成するとよい（第２発明）。
【００１１】
この方法では、反射板を構成する反射板本体が、周方向において多角形であると共に基端がわから先端がわに向けて直線状に開いていく多角の角錐筒状をしていることにより、照度等の投光性能を非常に高いものにすることができる。
【００１２】
しかも、反射板本体は、ランプ笠の基端開口部の開口サイズよりもサイズが大きいが、面と面との境界部である屈折稜線部を軸として面と面を相対的に回動させることができるようになされていると共に、回動させてサイズを縮小させることにより、ランプ笠の基端開口部を通じてランプ笠の内部に挿入することができるようになされていて、縮小状態の反射板本体をランプ笠の基端開口部を通じて内部空間に挿入するようにしているので、反射板本体をその元サイズにかかわらず、ランプ笠の内部に容易に組み込むことができるのはもちろん、
サイズ縮小のための回動は、多角の角錐筒状の形状における面と面との境界部である屈折稜線部を軸として行われるものであるから、縮小、復元のためにそのような回動を反射板本体に行わせても投光性能が損なわれることはない。
【００１３】
そして、反射板本体の構成要素として、更に、形状保持材を備え、該形状保持材は、リング状板からなっていて、ランプ笠の内部空間に挿入しそこで元サイズ、元形状に戻した反射板本体の基端部に係合状態に取り付けることで、元サイズ、元形状に保持された反射板本体を形成するようにしているので、上記のように縮小変形可能であると言いながら、元形状に戻せば、形状保持材によって、元サイズ、元形状をしっかりと保つことができて、組込み後における反射板本体の投光性能を高いものに保つことができる。
【００１４】
第２発明において、前記反射板が、前記形状保持材を挟んで前記反射板本体とは反対側の基端がわに備えられる基端がわ反射板本体を備え、
該基端がわ反射板本体の先端部に前記形状保持材が予め取り付けられたものを用い、
縮小状態の先端がわ反射板本体をランプ笠の基端開口部を通じて内部空間に挿入し、そこで該先端がわ反射板本体を元サイズ、元形状に戻した後、該先端がわ反射板本体の基端部に、前記基端がわ反射板本体付きの形状保持材を係合状態に取り付けて、元サイズ、元形状に保持された先端がわ反射板本体を形成するとよい（第３発明）。
【００１５】
この場合は、反射板が、先端がわ反射板本体に加え、更に、基端がわ反射板本体を備えたものであるから、照度等の投光性能をより一層高いものにすることができる。
【００１６】
しかも、該基端がわ反射板本体の先端部に前記形状保持材が予め取り付けられたものを用い、縮小状態の先端がわ反射板本体をランプ笠の基端開口部を通じて内部空間に挿入し、そこで該先端がわ反射板本体を元サイズ、元形状に戻した後、該先端がわ反射板本体の基端部に、前記基端がわ反射板本体付きの形状保持材を係合状態に取り付けて、元サイズ、元形状に保持された先端がわ反射板本体を形成するようにしているので、ランプ笠内の元サイズ、元形状に戻した先端がわ反射板本体の基端部に対する形状保持材の取付けを、先端がわ反射板本体を手で操作しながら行うことができて、先端がわ反射板本体基端部への形状保持材の取付けを容易にすることができる。
【発明の効果】
【００１７】
本発明の、投光器への反射板の取付け方法は、以上のとおりのものであるから、新たな反射板を投光器のランプ笠の内部に容易に組み込むことができて、照度等の投光性能をコスト的に有利に高めることができる。
【図面の簡単な説明】
【００１８】
【図１】実施形態を示すもので、図（イ）は反射板組込み状態の投光器の正面図、図（ロ）は反射板の分解斜視図である。
【図２】図（イ−１）及び図（イ−２）は先端がわ反射板本体の平面図、断面正面図、図（ロ−１）及び図（ロ−２）は形状保持材の平面図、断面正面図、図（ロ−３）は形状保持材の他の例を示す平面図、図（ハ−１）及び図（ハ−２）は基端がわ反射板本体の平面図、断面正面図である。
【図３】図（イ）は先端がわ反射板本体の縮小状態と元サイズ・元形状状態とを比較して示す平面図、図（ロ）は同正面図、図（ハ）はランプ笠の基端開口部とのサイズ関係において先端がわ反射板本体を示す平面図である。
【図４】図（イ）〜図（ニ）は、図５（ホ）〜（チ）と共に、取付け方法を順次に示す正面図である。
【図５】図（ホ）〜図（チ）は、図４（イ）〜（ニ）と共に、取付け方法を順次に示す正面図である。
【発明を実施するための形態】
【００１９】
次に、本発明の実施形態を図面に基づいて説明する。
【００２０】
図１〜図５に示す実施形態の、投光器への反射板の取付け方法において、１が、製品として完成された投光器、２が新たな反射板である。
【００２１】
投光器１は、図１（イ）、図４及び図５に示すように、光源筒３と、ランプ笠４とを備えている。ランプ笠４は、先端部が前面ガラス５で閉塞されていると共に、基端部に開口４ａを有し、かつ、内部の空間４ｂが基端開口部４ａのがわから先端がわに向けて奥広がり状となっている。
【００２２】
光源筒３は、ランプ６を接続するソケット７を備えたもので、ランプ笠４とは周方向における一カ所において枢結されており、ランプ笠４の基端開口部４ａは、該枢結部８を軸として光源筒３を回動させて光源筒３の先端部をランプ笠４の基端部に接続することにより閉じられ、光源筒３を逆方向に回動させて接続を解除することにより開かれるようになされている。
【００２３】
そして、反射板２は、図１（ロ）に示すように、先端がわ反射板本体９と、形状保持材１０と、基端がわ反射板本体１１とを、構成部品として備えている。
【００２４】
先端がわ反射板本体９は、図２（イ−１）（イ−２）に示すように、周方向において多角形であると共に、基端がわから先端がわに向けて直線状に開いていく多角、具体的には例えば１６角の角錐筒状の多面体からなっていて、図１（イ）に示すように、ランプ笠４の基端開口部４ａの開口サイズよりもサイズが大きい。そして、該先端がわ反射板本体９は、図３（イ）（ロ）に示すように、面９ａと面９ａとの境界部である屈折稜線部９ｂを軸として面９ａと面９ａを相対的に回動させることができるようになされており、回動させることによりサイズを縮小させることができるようになされており、図３（ハ）、図４（ハ）（ニ）に示すように、縮小することによりランプ笠４の基端開口部４ａを通じてランプ笠４の内部に挿入することができるようになされている。
【００２５】
屈折稜線部９ｂを軸として面９ａと面９ａを相対的に回動させることができるようにするため、一方の面をもう一方の面に被らせるようにしてこれら面と面とを蝶番でつないだり、あるいは、面と面との間にスリットを入れると共にスリットを入れた部分に金属硬化による破断を防ぐテープ補強をすることなど、種々の構造が採られてよい。
【００２６】
形状保持材１０は、図１（ロ）、図２（ロ−１）（ロ−２）に示すように、元サイズ状態の先端がわ反射板本体９の基端部に係合状態に取り付けられるリング状板からなっていて、先端がわ反射板本体９の基端部に係合状態に取り付けることにより、先端がわ反射板本体９における隣り合う面部９ａ，９ａ間の各屈折角度を所定の特定角度、本実施形態では正１６角形における辺と辺のなす角度に保持して、先端がわ反射板本体９を縮小前の元サイズ、元形状に保持するものである。
【００２７】
基端がわ反射板本体１１は、形状保持材１０を挟んで、先端がわ反射板本体９とは反対側の、基端がわに備えられる反射板本体で、先端がわ反射板本体９と同じく、周方向において多角形であると共に、基端がわから先端がわに向けて直線状に開いていく多角、具体的には例えば１６角の角錐筒状の多面体からなっている。なお、本実施形態では、基端がわ反射板本体１１は、ランプ笠４の基端開口部４ａの開口サイズよりもサイズが小さく、そのため、先端がわ反射板本体９の場合のような縮小機能は、備えられていてもよいし、備えられていなくてもよい。
【００２８】
そして、該基端がわ反射板本体１１は、投光器への組込み取付けに際して、図５（ヘ）に示すように、予め、その先端を、形状保持材１０に取り付けて、形状保持材１０と一体化させておく。
【００２９】
形状保持材１０に対する基端がわ反射板本体１１の取付け、及び、先端がわ反射板本体９に対する形状保持材１０の取付けのため、本実施形態では次のような構造が採用されている。即ち、図２（イ−１）（イ−２）に示すように、先端がわ反射板本体９の基端部には、形状保持材１０を構成するリング状板の板面に沿うことのできる複数の内向き張出し板部９ｃ…が周方向に間隔的に設けられると共に、各内向き張出し板部９ｃに通孔９ｄが設けられている。また、図２（ハ−１）（ハ−２）に示すように、基端がわ反射板本体１１の先端部にも、形状保持材１０の板面に沿うことのできる複数の外向き張出し板部１１ｃ…が周方向に間隔的に設けられると共に、各外向き張出し板部１１ｃに通孔１１ｄが設けられている。そして、図２（ロ−１）に示すように、形状保持材１０には、先端がわ反射板本体９がわの通孔９ｄ…と、基端がわ反射板本体１１がわの通孔１１ｄ…とに対応する多数の通孔１０ｄ…が、周方向間隔的に設けられている。
【００３０】
それにより、形状保持材１０に対する基端がわ反射板本体１１の取付けは、基端がわ反射板本体１１の先端の各外向き張出し板部１１ｃを、通孔１１ｄ，１０ｄを一致させるように、形状保持材１０の板面に沿わせ、ビス又はボルトを通して締結するというようにして行うことができるようになされている。また、形状保持材１０に対する先端がわ反射板本体９の取付けは、先端がわ反射板本体９の基端の各内向き張出し板部９ｃを、基端がわ反射板本体１１の外向き張出し部１１ｃとは周方向に位相を異ならせて通孔９ｄ，１０ｄを一致させるように、形状保持材１０の板面に沿わせ、ビス又はボルトを通して締結するというようにして行うことができるようになされている。
【００３１】
なお、ビス又はボルトに代えてリベットで取り付けるようにしてもよいし、また、図２（ロ−３）に示すように、形状保持材１０に、先端がわ反射板本体９の取付けのために設けられる通孔をスリット孔１０ｅに代え、先端がわ反射板本体９の基端部の張出し板部９ｃを貫通状態に差し込んで、内向きに屈曲させて取り付ける構成などが採用されてもよく、種々の取付け構造が採用されてよい。
【００３２】
投光器１への反射板２の取付けは、まず、図４（イ）（ロ）に示すように、投光器１を、ランプ笠４の先端部を下にするようにして置き、図示しないロックを解除して光源筒３を回動させ、光源筒３とランプ笠４との接続を解除し、ランプ笠４の基端開口部４ａを開く。次いで、図４（ハ）（ニ）に示すように、縮小状態にした先端がわ反射板本体９を、ランプ笠４の基端開口部４ａを通じてランプ笠４の内部空間に挿入し、そこで、図５（ホ）に示すように、先端がわ反射板本体９を元サイズ、元形状に戻す。戻すのは、手をランプ笠４の基端開口部４ａを通じてランプ笠４の内部空間に入れて行うようにすればよい。サイズの縮小や復元のための回動は、多角の角錐筒状の形状における面９ａと面９ａとの境界部である屈折稜線部９ｂを軸として行われるから、縮小、復元のためにそのような回動を先端がわ反射板本体９に行わせても投光性能が損なわれることはない。また、先端がわ反射板本体９は、元形状に戻せば、形状保持材１０によって、元サイズ、元形状をしっかりと保つことができて、組込み後における先端がわ反射板本体９の投光性能を高いものに保つことができる。
【００３３】
しかる後、図５（ヘ）（ト）に示すように、予め、基端がわ反射板本体１１が取り付けられている、基端がわ反射板本体１１付きの形状保持材１０を用い、先端がわ反射板本体９の基端部に、基端がわ反射板本体１１付きの形状保持材１０をビス又はボルトで係合状態に取り付けて、元サイズ、元形状に保持された先端がわ反射板本体９を形成する。予め、基端がわ反射板本体１１が取り付けられている形状保持材１０を用いるから、ランプ笠４内の元サイズ、元形状に戻した先端がわ反射板本体９の基端部に対する形状保持材１０の取付けを、基端がわ反射板本体１１を手で操作しながら行うことができて、先端がわ反射板本体９の基端部への形状保持材１０の取付けを容易にすることができる。
【００３４】
最後に、図５（チ）に示すように、光源筒３を回動させて、光源筒３の先端部をランプ笠４の基端部に接続し、ランプ笠４の基端開口部を閉じる。なお、その際に、光源筒３のソケット７に接続しているランプ６が基端がわ反射板本体１１と干渉するような場合は、図示しないが、基端がわ反射板本体１１にランプ６を避ける切欠きを設けておくようにするとよい。以上のようして、投光器１に反射板２を組み込むことができる。
【００３５】
このように、上記の方法によれば、新たな反射板２を、ランプ笠４の前面ガラス５を取り外すことなく、投光器１のランプ笠４の内部に容易に組み込むことができて、照度等の投光性能をコスト的に有利に高めることができる。
【００３６】
以上に、本発明の実施形態を示したが、本発明はこれに限られるものではなく、発明思想を逸脱しない範囲で各種の変更が可能である。例えば、上記の実施形態では、先端がわ反射板本体、形状保持材及び基端がわ反射板本体として、特定の形態で、特定の取付け構造によって取り付けるように構成されているものを示したが、種々の形態をしていてよい。
【符号の説明】
【００３７】
１…投光器
２…反射板
３…光源筒
４…ランプ笠
４ａ…基端開口部
４ｂ…内部空間
５…前面ガラス
９…先端がわ反射板本体
１０…形状保持材
１１…基端がわ反射板本体
【図１】
0005501879.tif 000002
【図２】
0005501879.tif 000003
【図３】
0005501879.tif 000004
【図４】
0005501879.tif 000005
【図５】
0005501879.tif 000006